(57)【要約】  本願では、エッジネットワークケイパビリティ開放を実現する方法、装置、機器および記憶媒体を開示し、上記方法は、モバイルエッジコンピューティングプラットフォームが発したネットワークケイパビリティサービス要求を受信するステップ（Ｓ１）と、前記ネットワークケイパビリティサービス要求に基づき、前記モバイルエッジコンピューティングプラットフォームが要求したネットワークケイパビリティサービスの提供元を確定するステップ（Ｓ２）と、前記ネットワークケイパビリティサービスの提供元がコアネットワークであると確定すると、前記コアネットワークのネットワークケイパビリティサービスを前記モバイルエッジコンピューティングプラットフォームに提供するステップ（Ｓ３）と、を含む。【選択図】図１
2021502780.tif 000002
【特許請求の範囲】
【請求項１】
モバイルエッジコンピューティングプラットフォームが発したネットワークケイパビリティサービス要求を受信するステップと、
前記ネットワークケイパビリティサービス要求に基づき、前記モバイルエッジコンピューティングプラットフォームが要求したネットワークケイパビリティサービスの提供元を確定するステップと、
前記ネットワークケイパビリティサービスの提供元がコアネットワークであると確定すると、前記コアネットワークのネットワークケイパビリティサービスを前記モバイルエッジコンピューティングプラットフォームに提供するステップと、を含む、
エッジネットワークケイパビリティ開放を実現する方法。
【請求項２】
前記ネットワークケイパビリティサービス要求に基づき、前記モバイルエッジコンピューティングプラットフォームが要求したネットワークケイパビリティサービスの提供元を確定する前記ステップは、
前記ネットワークケイパビリティサービス要求を解析して、メッセージ名またはユニフォームリソースロケータパスを得ることと、
前記メッセージ名または前記ユニフォームリソースロケータパスに基づき、前記モバイルエッジコンピューティングプラットフォームが要求したネットワークケイパビリティサービスの提供元を確定することと、を含む、
請求項１に記載の方法。
【請求項３】
前記コアネットワークのネットワークケイパビリティサービスを前記モバイルエッジコンピューティングプラットフォームに提供する前記ステップの前に、
前記コアネットワークとやり取りするためのプロトコル基準点インターフェースを介して、インスタンス識別子を所持するネットワークケイパビリティサービス照会要求を前記コアネットワークへ送信することと、
前記コアネットワークとやり取りするための前記プロトコル基準点インターフェースを介して、前記コアネットワークが前記インスタンス識別子に応じて戻したネットワークケイパビリティサービスリストを受信することと、をさらに含む、
請求項１に記載の方法。
【請求項４】
前記コアネットワークのネットワークケイパビリティサービスを前記モバイルエッジコンピューティングプラットフォームに提供する前記ステップは、
前記ネットワークケイパビリティサービスリストの中から、前記モバイルエッジコンピューティングプラットフォームが要求したネットワークケイパビリティサービスが見つかれば、見つかった前記ネットワークケイパビリティサービスを前記モバイルエッジコンピューティングプラットフォームに提供することを含む、
請求項３に記載の方法。
【請求項５】
前記ネットワークケイパビリティサービスの提供元が無線アクセスネットワークであると確定すると、前記無線アクセスネットワークのネットワークケイパビリティサービスを前記モバイルエッジコンピューティングプラットフォームに提供することをさらに含む、
請求項１〜４のいずれか一項に記載の方法。
【請求項６】
前記無線アクセスネットワークのネットワークケイパビリティサービスを前記モバイルエッジコンピューティングプラットフォームに提供する前に、
前記無線アクセスネットワークとやり取りするためのプロトコル基準点インターフェースを介して、端末識別子および情報収集識別子を所持する情報収集要求を前記無線アクセスネットワークへ送信することと、
前記無線アクセスネットワークとやり取りするための前記プロトコル基準点インターフェースを介して、前記無線アクセスネットワークが前記端末識別子および情報収集識別子に応じて戻した端末関連情報を受信することと、
前記端末関連情報を用いて前記無線アクセスネットワークのネットワークケイパビリティサービスを更新することと、をさらに含む、
請求項５に記載の方法。
【請求項７】
前記無線アクセスネットワークのネットワークケイパビリティサービスを前記モバイルエッジコンピューティングプラットフォームに提供する前記ステップは、
すでに更新された前記無線アクセスネットワークのネットワークケイパビリティサービスの中から、前記モバイルエッジコンピューティングプラットフォームが要求したネットワークケイパビリティサービスが見つかれば、見つかった前記ネットワークケイパビリティサービスを前記モバイルエッジコンピューティングプラットフォームに提供することを含む、
請求項６に記載の方法。
【請求項８】
モバイルエッジコンピューティングプラットフォームが発したネットワークケイパビリティサービス要求を受信するように配置された受信モジュールと、
前記ネットワークケイパビリティサービス要求に基づき、前記モバイルエッジコンピューティングプラットフォームが要求したネットワークケイパビリティサービスの提供元を確定するように配置された判断モジュールと、
前記ネットワークケイパビリティサービスの提供元がコアネットワークであると確定すると、前記コアネットワークのネットワークケイパビリティサービスを前記モバイルエッジコンピューティングプラットフォームに提供するように配置された処理モジュールと、を備えた、
エッジネットワークケイパビリティ開放を実現する装置。
【請求項９】
プロセッサと、前記プロセッサに結合されたメモリとを備え、前記メモリには、前記プロセッサで実行可能な、エッジネットワークケイパビリティ開放を実現するプログラムが記憶され、エッジネットワークケイパビリティ開放を実現する前記プログラムが前記プロセッサにより実行される時に、上記請求項１〜７のいずれか一項に記載の、エッジネットワークケイパビリティ開放を実現する方法のステップを実現する、
エッジネットワークケイパビリティ開放を実現する機器。
【請求項１０】
エッジネットワークケイパビリティ開放を実現するプログラムが記憶され、エッジネットワークケイパビリティ開放を実現する前記プログラムがプロセッサにより実行される時に、上記請求項１〜７のいずれか一項に記載の、エッジネットワークケイパビリティ開放を実現する方法のステップを実現する、
記憶媒体。
【発明の詳細な説明】
【技術分野】
【０００１】
本発明は、通信分野に関するものであるがこれに限らず、特に、エッジネットワークケイパビリティ開放を実現する方法、装置、機器および記憶媒体に関する。
【背景技術】
【０００２】
モバイル通信の発展は目覚ましく、人々の仕事、交際、生活の各方面に浸透し、人々の生活方式、働き方および社会政治、経済などの各方面に大きな影響を与えている。人類社会は情報化時代に移行し、各方面のビジネスアプリケーションの需要は爆発的に増え、将来のモバイルネットワークにおいては、人と人との通信だけでなく、モノのインターネットの大量の機器にサービスを提供する必要がある。バーチャルリアリティ、高精細度テレビなどのような超高速サービス要求のあるトラフィックは、速度が現在の１０から１００倍に達することが可能で、車のインターネットなどのような低遅延サービス要求があるトラフィックは、エンドツーエンド遅延を５倍短縮でき、モノのインターネットは現在の１０００倍の数のトラフィックにアクセスでき、バッテリ寿命も現在の１０倍などに伸ばすことができる。
【０００３】
低遅延と高帯域幅トラフィックの増加に伴い、ベアラサービスとしてのＡＰＰ（アプリケーション）配置もますますＵＥ（Ｕｓｅｒ  Ｅｑｕｉｐｍｅｎｔ、ユーザ端末）に近づき、遅延を短縮できるだけでなく、伝送帯域幅を節約することもでき、これがまさに現在勢いを増しているエッジコンピューティングである。キャリアにとって、モバイルエッジコンピューティングはＡＰＰのコンピューティングオペレーションをその営業収入体系に組み込むだけでなく、さらにモバイル通信ネットワークケイパビリティをＡＰＰ開発者に開放して使用させることができ、例えば、ＵＥ位置情報、ＡＰＰのＶＩＰ（Ｖｅｒｙ  Ｉｍｐｏｒｔａｎｔ  Ｐｅｏｐｌｅ、重要人物）に対してより高いＱｏＳ（Ｑｕａｌｉｔｙ  ｏｆ  Ｓｅｒｖｉｃｅ、サービス品質）レベルを提供することもできる。エッジノードのネットワークケイパビリティ開放は、キャリアに対してチャネルとコンピューティングの総合的な競争力、および全く新しいビジネスモデルをもたらすことができる。よって、如何にしてモバイルエッジコンピューティングプラットフォームにネットワークケイパビリティを開放するかが解決すべき課題となっている。
【発明の概要】
【発明が解決しようとする課題】
【０００４】
以下は本明細書について詳細に記載する主題の概要である。本概要は請求項の保護範囲を限定するものではない。
【０００５】
本願の実施例は、上記に鑑みてなされたものであって、エッジネットワークケイパビリティ開放を実現する方法、装置、機器および記憶媒体を提供し、モバイルエッジコンピューティングプラットフォームへのネットワークケイパビリティ開放を実現することを目的とする。
【課題を解決するための手段】
【０００６】
一形態において、本願の実施例は、モバイルエッジコンピューティングプラットフォームが発したネットワークケイパビリティサービス要求を受信するステップと、前記ネットワークケイパビリティサービス要求に基づき、前記モバイルエッジコンピューティングプラットフォームが要求したネットワークケイパビリティサービスの提供元を確定するステップと、前記ネットワークケイパビリティサービスの提供元がコアネットワークであると確定すると、前記コアネットワークのネットワークケイパビリティサービスを前記モバイルエッジコンピューティングプラットフォームに提供するステップと、を含む、エッジネットワークケイパビリティ開放を実現する方法を提供する。
【０００７】
別の形態において、本願の実施例は、モバイルエッジコンピューティングプラットフォームが発したネットワークケイパビリティサービス要求を受信するように配置された受信モジュールと、前記ネットワークケイパビリティサービス要求に基づき、前記モバイルエッジコンピューティングプラットフォームが要求したネットワークケイパビリティサービスの提供元を確定するように配置された判断モジュールと、前記ネットワークケイパビリティサービスの提供元がコアネットワークであると確定すると、前記コアネットワークのネットワークケイパビリティサービスを前記モバイルエッジコンピューティングプラットフォームに提供するように配置された処理モジュールと、を備えた、エッジネットワークケイパビリティ開放を実現する装置を提供する。
【０００８】
さらなる形態において、本願の実施例は、プロセッサと、前記プロセッサに結合されたメモリとを備え、前記メモリには、前記プロセッサで実行可能な、エッジネットワークケイパビリティ開放を実現するプログラムが記憶され、エッジネットワークケイパビリティ開放を実現する前記プログラムが前記プロセッサにより実行される時に、エッジネットワークケイパビリティ開放を実現する方法の上記ステップを実現する、エッジネットワークケイパビリティ開放を実現する機器を提供する。
【０００９】
このほか、本願の実施例は、エッジネットワークケイパビリティ開放を実現するプログラムが記憶され、エッジネットワークケイパビリティ開放を実現する前記プログラムがプロセッサにより実行される時に、エッジネットワークケイパビリティ開放を実現する方法の上記ステップを実現する記憶媒体をさらに提供する。
【００１０】
図面および詳細な記述を閲読して理解すれば、その他の点も明らかになる。
【発明の効果】
【００１１】
本願の実施例によれば、エッジネットワークケイパビリティ開放を実現する方法、装置、機器および記憶媒体を提供し、モバイルエッジコンピューティングプラットフォームへのネットワークケイパビリティ開放を実現することができる。
【図面の簡単な説明】
【００１２】
【図１】図１は、本願の実施例が提供する、エッジネットワークケイパビリティ開放を実現する方法のフローチャートである。
【図２】図２は、５Ｇシステムアーキテクチャ図である。
【図３】図３は、目下のキャリアの伝送ネットワーク階層図である。
【図４】図４は、本願の実施例が提供する５Ｇシステムアーキテクチャ図である。
【図５】図５は、ｅＮＥＦがＮｘインターフェースを介してＲＡＮ側ネットワーク情報を取得するフローチャートである。
【図６】図６は、ｅＮＥＦがＮｙインターフェースを介してＮＥＦのネットワークケイパビリティサービスリストを取得するフローチャートである。
【図７】図７は、ＭＥＣプラットフォームにＮＥＦネットワークケイパビリティを開放するフローチャートである。
【図８】図８は、ＭＥＣプラットフォームがＮＥＦネットワークケイパビリティを要求するフローチャートである。
【図９】図９は、ＭＥＣプラットフォームにＲＡＮ側ネットワークケイパビリティを開放するフローチャートである。
【図１０】図１０は、本願の実施例が提供する、エッジネットワークケイパビリティ開放を実現する装置のブロック図である。
【図１１】図１１は、本願の実施例が提供する、エッジネットワークケイパビリティ開放を実現する機器の概略図である。
【発明を実施するための形態】
【００１３】
以下では図面を組み合わせて本願の実施例について詳細に説明する。以下に説明する実施例は本願の説明と解釈にのみ用いられるものであって、本願を限定するものではない。
【実施例１】
【００１４】
図１は本願の実施例が提供する、エッジネットワークケイパビリティ開放を実現する方法のフローチャートである。図１に示すように、本実施例が提供するエッジネットワークケイパビリティ開放を実現する方法は以下のステップＳ１からステップＳ３を含んでよい。
【００１５】
ステップＳ１、モバイルエッジコンピューティング（ＭＥＣ、Ｍｏｂｉｌｅ  Ｅｄｇｅ  Ｃｏｍｐｕｔｉｎｇ）プラットフォームが発したネットワークケイパビリティサービス要求を受信する。
【００１６】
ステップＳ２、前記ネットワークケイパビリティサービス要求に基づき、前記モバイルエッジコンピューティングプラットフォームが要求したネットワークケイパビリティサービスの提供元を確定する。
【００１７】
一例としての実施形態において、ステップＳ２は、前記ネットワークケイパビリティサービス要求を解析して、メッセージ名またはユニフォームリソースロケータパスを得、前記メッセージ名または前記ユニフォームリソースロケータパスに基づき、前記モバイルエッジコンピューティングプラットフォームが要求したネットワークケイパビリティサービスの提供元を確定することを含んでよく、前記ネットワークケイパビリティサービスの提供元は無線アクセスネットワークであってよく、コアネットワークであってもよい。
【００１８】
ステップＳ３、前記ネットワークケイパビリティサービスの提供元がコアネットワークであると確定すると、前記コアネットワークのネットワークケイパビリティサービスを前記モバイルエッジコンピューティングプラットフォームに提供する。
【００１９】
一例としての実施形態において、ステップＳ３の実行前に、前記コアネットワークとやり取りするためのプロトコル基準点インターフェースを介して、インスタンス識別子を所持するネットワークケイパビリティサービス照会要求を前記コアネットワークへ送信し、その後、前記コアネットワークとやり取りするための前記プロトコル基準点インターフェースを介して、前記コアネットワークが前記インスタンス識別子に応じて戻したネットワークケイパビリティサービスリストを受信する。
【００２０】
一例としての実施形態において、ステップＳ３は、前記ネットワークケイパビリティサービスリストの中から、前記モバイルエッジコンピューティングプラットフォームが要求したネットワークケイパビリティサービスが見つかれば、見つかった前記ネットワークケイパビリティサービスを前記モバイルエッジコンピューティングプラットフォームに提供することを含んでよい。
【００２１】
一例としての実施形態において、ステップＳ２で前記ネットワークケイパビリティサービスの提供元が無線アクセスネットワークであると確定すると、前記無線アクセスネットワークのネットワークケイパビリティサービスを前記モバイルエッジコンピューティングプラットフォームに提供することができる。例として、実施の際に、前記無線アクセスネットワークとやり取りするためのプロトコル基準点インターフェースを介して、端末識別子および情報収集識別子を所持する情報収集要求を前記無線アクセスネットワークへ送信し、その後、前記無線アクセスネットワークとやり取りするための前記プロトコル基準点インターフェースを介して、前記無線アクセスネットワークが前記端末識別子および情報収集識別子に応じて戻した端末関連情報を受信し、最後に、前記端末関連情報を用いて前記無線アクセスネットワークのネットワークケイパビリティサービスを更新する。これにより、無線アクセスネットワークのネットワークケイパビリティサービスを提供する際に、すでに更新された前記無線アクセスネットワークのネットワークケイパビリティサービスの中から、前記モバイルエッジコンピューティングプラットフォームが要求したネットワークケイパビリティサービスが見つかれば、見つかった前記ネットワークケイパビリティサービスを前記モバイルエッジコンピューティングプラットフォームに提供することができる。
【００２２】
実施形態の１つとして、本実施例では、無線アクセスネットワークおよびコアネットワークと情報を直接やり取りするためのｅＮＥＦ（Ｅｄｇｅ  ＮＥＦ、エッジケイパビリティ開放モジュール）を構築してよく、当該ｅＮＥＦは、前記無線アクセスネットワークとやり取りするためのプロトコル基準点インターフェースと、前記コアネットワークとやり取りするためのプロトコル基準点インターフェースとを備える。ＭＥＣプラットフォームが、例えば、ＵＥ位置情報または測定報告などを取得するために、ｅＮＥＦにネットワークケイパビリティサービス要求を発し、ネットワークケイパビリティサービス要求をする時、ｅＮＥＦが、サービスＡＰＩ（Ａｐｐｌｉｃａｔｉｏｎ  Ｐｒｏｇｒａｍｍｉｎｇ  Ｉｎｔｅｒｆａｃｅ、アプリケーションプログラミングインターフェース）を介して当該ネットワークケイパビリティサービス要求を受信すると、要求されたネットワークケイパビリティサービスがＲＡＮ（Ｒａｄｉｏ  Ａｃｃｅｓｓ  Ｎｅｔｗｏｒｋ、無線アクセスネットワーク）によって提供されるか、それともコアネットワークによって提供されるかを判断することができる。ＲＡＮによって提供される場合、ｅＮＥＦは、例えば、サービスＡＰＩを介してＵＥ位置情報をＭＥＣプラットフォームに送信することによって、ネットワークケイパビリティサービスをＭＥＣプラットフォームに提供する。コアネットワークによって提供される場合、ｅＮＥＦは、コアネットワークにネットワークケイパビリティサービスを要求し、コアネットワークのネットワークケイパビリティサービスをＭＥＣプラットフォームに提供する。
【００２３】
当業者であれば、上記の実施例を実現する方法のすべてまたは一部のステップは、コンピュータ読み取り可能な記憶媒体に記憶できるプログラムによって、関連するハードウェアに命令して完了されると理解できるであろう。
【実施例２】
【００２４】
本願の実施例は、エッジネットワークケイパビリティ開放を実現するプログラムが記憶され、前記プログラムがプロセッサにより実行される時に、エッジネットワークケイパビリティ開放を実現する方法の上記のステップを実現する記憶媒体をさらに提供する。前記記憶媒体はＲＯＭ／ＲＡＭ、磁気ディスク、光ディスク、ＵＳＢフラッシュメモリを含んでよい。
【実施例３】
【００２５】
３  ＧＰＰ（Ｔｈｉｒｄ  Ｇｅｎｅｒａｔｉｏｎ  Ｐａｒｔｎｅｒｓｈｉｐ  Ｐｒｏｊｅｃｔ、第３世代パートナーシッププロジェクト）  ＳＡ２  （システムアーキテクチャ）では、サービスベースの５Ｇシステムアーキテクチャが定義されている。図２に示すように、５Ｇシステムは、ＵＥ、ＲＡＮ（無線アクセスネットワーク）、ＵＰＦ（Ｕｓｅｒ  Ｐｌａｎｅ  Ｆｕｎｃｔｉｏｎ、ユーザプレーン機能）、ＳＭＦ（Ｓｅｓｓｉｏｎ  Ｍａｎａｇｅｍｅｎｔ  Ｆｕｎｃｔｉｏｎ、セッション管理機能）、ＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ、アクセス・モビリティ管理機能）、ＡＵＳＦ（Ａｕｔｈｅｎｔｉｃａｔｉｏｎ  Ｓｅｒｖｅｒ  Ｆｕｎｃｔｉｏｎ、認証サーバ機能）、ＮＲＦ（Ｎｅｔｗｏｒｋ  Ｒｅｐｏｓｉｔｏｒｙ  Ｆｕｎｃｔｉｏｎ、ネットワークリポジトリ機能）、ＰＣＦ（Ｐｏｌｉｃｙ  Ｃｏｎｔｒｏｌ  Ｆｕｎｃｔｉｏｎ、ポリシー制御機能）、ＵＤＭ（Ｕｎｉｆｉｅｄ  Ｄａｔａ  Ｍａｎａｇｅｍｅｎｔ、統合データ管理）、ＮＥＦ（Ｎｅｔｗｏｒｋ  Ｅｘｐｏｓｕｒｅ  Ｆｕｎｃｔｉｏｎ、ネットワーク開放機能）、ＡＦ（Ａｐｐｌｉｃａｔｉｏｎ  Ｆｕｎｃｔｉｏｎ、アプリケーション機能）、ＤＮ（Ｄａｔａ  Ｎｅｔｗｏｒｋ、データネットワーク）を含んでよく、ＳＭＦはセッションアクセスと管理を担い、ＵＰＦ選択／再選択を含み、ＡＭＦはＵＥアクセスとモビリティ管理を担い、ＡＵＳＦはＵＥ認証を担い、ＮＲＦはネットワーク機能の相互発見構築を担い、ＰＣＦは制御プレーンのポリシールールを担い、ＵＤＭはユーザＩＤなどの情報管理を担い、ＮＥＦは３  ＧＰＰネットワークが第三者Ａｐｐにネットワークケイパビリティ開放を提供する機能モジュールである。ＮＥＦは、サービスベースのインターフェースを介してＣＮ（Ｃｏｒｅ  Ｎｅｔｗｏｒｋ、コアネットワーク）のその他の機能モジュールの情報およびサービスインターフェースを取得して、ノースバウンドサービスインターフェースを介して第三者Ａｐｐに開放する。原則として、規格は、ＮＥＦがどこに配置されてよいかを限定しない。しかしながら、現在のキャリアの伝送ネットワークは、図３に示すように、アクセス層、ディストリビューション層、コア層に分けられるのが一般的である。なお、図２における異なるネットワーク機能間のインターフェース（例えば、Ｎ１、Ｎ２など）は、３  ＧＰＰ  ＳＡ２における関連定義および説明を参照することができるため、ここでは詳しい説明を省略する。図３においてＰＴＮはパケット伝送ネットワーク（Ｐａｃｋｅｔ  Ｔｒａｎｓｐｏｒｔ  Ｎｅｔｗｏｒｋ）である。
【００２６】
５Ｇアーキテクチャでは、Ｄｉｓｔｒｉｂｕｔｅｄ  Ｕｎｉｔ（分散ノード）がアクセス層に配置され、Ｃｅｎｔｒａｌｉｚｅｄ  Ｕｎｉｔ（集中ノード）およびＵＰＦ（ユーザプレーン機能）がディストリビューション層に配置され、エッジコンピューティングもディストリビューション層にあり、コアネットワーク機能はＵＰＦを除いてすべてコア層に配置される。実際の配置では、セキュリティ面を考慮し、コア層およびディストリビューション層／アクセス層はネットワーク隔離されており、ＡＭＦおよびＲＡＮのインターフェースＮ２、ＳＭＦおよびＵＰＦのインターフェースＮ４のような標準インターフェースを介してしか相互通信できない。ＲＡＮに配置されているネットワーク機能は、サービスインターフェースを介してＣＮ側のネットワーク機能を直接呼び出すことはできない。したがって、このようなネットワークドメイン隔離は、３ＧＰＰにおいてＮＥＦがドメインおよびその他のネットワーク機能をまたいで通信することを不可能にし、その実際の配置はＣＮ側だけに限られる。しかしながら、ＭＥＣプラットフォームはＲＡＮ側に配置されることもあって、ＮＥＦはＲＡＮ無線ケイパビリティを開放する必要もあり、現在の３ＧＰＰは、ＲＡＮ側のＭＥＣ上のＡｐｐがネットワークケイパビリティをどのように取得するかという問題をうまく解決していない。なぜなら、ＣＮノースバウンドサービスインターフェースを介してＮＥＦを開放することから、ＲＡＮ側Ａｐｐに対するアクセス経路が長くなり過ぎるうえ、ＲＡＮ側ケイパビリティがＣＮ再開放に迂回する必要があり、不要な遅延および帯域幅が増え、ＭＥＣ自体の本意と一致しないからである。
【００２７】
以下では本願の実施例が提供する５Ｇシステムのアーキテクチャ図および実施フローについて説明する。
【００２８】
図４は本願の実施例が提供する５Ｇシステムアーキテクチャ図である。図４に示すように、本願の実施例はＲＡＮ側においてｅＮＥＦを導入することにより、これと２つのネットワーク機能ＲＡＮおよびＮＥＦとがそれぞれ１つのプロトコル基準点インターフェース（すなわち、ＮｘとＮｙ）を有する。ｅＮＥＦを介して５ＧネットワークはＲＡＮ側のネットワークエッジコンピューティングプラットフォームにネットワークケイパビリティを開放する。
【００２９】
１．  ｅＮＥＦとＲＡＮのプロトコル基準点インターフェースはＮｘである。
当該プロトコル基準点インターフェースＮｘを介して、ｅＮＥＦはＲＡＮ側のネットワーク情報を取得する。ｅＮＥＦはＲＡＮ側のネットワーク情報を処理した後、サービスＡＰＩ（アプリケーションプログラミングインタフェース）を介して、ＲＡＮ側ネットワークケイパビリティとしてＭＥＣに開放する。
【００３０】
ｅＮＥＦはＲＡＮケイパビリティサービスをＭＥＣに直接開放することができる。
【００３１】
２．  ｅＮＥＦとＮＥＦのプロトコル基準点インターフェースはＮｙである。
当該プロトコル基準点インターフェースＮｙを介して、ｅＮＥＦはコアネットワークＮＥＦに接続される。ｅＮＥＦはＮｙを介してＮＥＦ上のサービスを照会できる。ｅＮＥＦはプロトコル基準点インターフェースＮｙを介してＮＥＦのサービスを取得できる。
ｅＮＥＦはＭＥＣが消費するサービス類型に応じて、ＮＥＦから対応するサービスを取得できる。
【実施例４】
【００３２】
図５はｅＮＥＦがＮｘインターフェースを介してＲＡＮ側ネットワーク情報を取得するフローチャートである。図５に示すように、ｅＮＥＦがＮｘインターフェースを介してＲＡＮ側ネットワーク情報を取得するフローは、ｅＮＥＦがＮｘインターフェースを介して、ＵＥ  ＩＤ  （識別子）、情報収集ＩＤ、情報報告方式を含む情報収集要求をＲＡＮに送信するステップと、ＲＡＮが情報収集要求を受信した後、ＵＥ  ＩＤ、情報収集ＩＤ、情報報告方式に応じて情報収集を行い、ＵＥ関連情報を抽出して、情報収集応答メッセージにカプセル化してｅＮＥＦに送信するステップと、ｅＮＥＦがＲＡＮから送信されてきた情報収集応答メッセージを受信し、その中のデータを抽出して、ＲＡＮサービスに更新するステップとを含む。
【００３３】
本実施例において、ｅＮＥＦはＲＡＮから取得したデータを利用して、保存したデータを更新し、更新後のデータを利用するために、サービスＡＰＩを介してＭＥＣプラットフォームにＲＡＮ側のネットワークケイパビリティサービスを提供する。
【実施例５】
【００３４】
図６はｅＮＥＦがＮｙインターフェースを介してＮＥＦのネットワークケイパビリティサービスリストを取得するフローチャートである。図６に示すように、ｅＮＥＦがＮｙインターフェースを介してＮＥＦのネットワークケイパビリティサービスリストを取得するフローは、ｅＮＥＦがＮｙインターフェースを介してＮＥＦにネットワークケイパビリティサービス照会要求（そこにはＮＥＦインスタンスＩＤが含まれる）を送信するステップと、ＮＥＦがｅＮＥＦのネットワークケイパビリティサービス照会要求を受信し、インスタンスＩＤが本インスタンスと一致すれば、自らのネットワークケイパビリティサービスリストをネットワークケイパビリティ照会応答メッセージにロードし、ｅＮＥＦに送信するステップとを含む。
【００３５】
本実施例において、ｅＮＥＦがＮＥＦから取得したネットワークケイパビリティサービスリストは、当該ネットワークケイパビリティサービスリストを利用するために、ＮＥＦのネットワークケイパビリティサービスを、サービスＡＰＩを介してＭＥＣプラットフォームへ提供する。
【実施例６】
【００３６】
図７はＭＥＣプラットフォームにＮＥＦネットワークケイパビリティを開放するフローチャートである。図７に示すように、ＭＥＣプラットフォームにＮＥＦネットワークケイパビリティを開放するフローは、ｅＮＥＦがＭＥＣからのネットワークケイパビリティＡＰＩ操作（すなわちサービスＡＰＩ操作要求）を受信するステップと、ｅＮＥＦがネットワークケイパビリティＡＰＩ操作のメッセージ名またはＵＲＬ（ユニフォームリソースロケータ）パスから、当該要求操作はコアネットワークＮＥＦのサービスに属すると判断すると、当該要求をＣｏｎｔａｉｎｅｒ（容器）にカプセル化してＮｙポートを介してＮＥＦに送信するステップと、ＮＥＦがメッセージを受信すると、Ｃｏｎｔａｉｎｅｒを取り出してネットワークケイパビリティに応じた操作を実施し、操作結果をＣｏｎｔａｉｎｅｒを用いてメッセージにカプセル化しＮｙポートを介してｅＮＥＦに送信するステップと、ｅＮＥＦがメッセージを受信すると、Ｃｏｎｔａｉｎｅｒを取り出して応答結果を操作応答ＡＰＩにカプセル化してＭＥＣに返信するステップとを含む。
【００３７】
本実施形態において、ｅＮＥＦはＭＥＣからの操作要求をＭＥＣとのサービスＡＰＩを介して受信して、ＭＥＣの要求したネットワークケイパビリティサービスがＮＥＦの提供するサービスであると判断し、かつＮＥＦが当該サービスをすでに起動している場合に、ＮＥＦとのサービスＡＰＩを介してＮＥＦからネットワークケイパビリティを取得して、ＭＥＣに提供する。
【実施例７】
【００３８】
図８はＭＥＣプラットフォームがＮＥＦネットワークケイパビリティを要求するフローチャートである。図８に示すように、ｅＮＥＦおよびＭＥＣ操作フローは、ｅＮＥＦがＭＥＣからのネットワークケイパビリティＡＰＩ操作（すなわち、サービスＡＰＩ操作要求）を受信するステップと、ｅＮＥＦがネットワークケイパビリティＡＰＩ操作のメッセージ名またはＵＲＩパスから、当該要求操作はコアネットワークＮＥＦのサービスに属すると判断したものの、ＮＥＦが当該サービスを起動していなければ、直接ＭＥＣにＡＰＩ操作の失敗を返すステップとを含む。
【００３９】
本実施例において、ｅＮＥＦはＭＥＣからの操作要求をＭＥＣとのサービスＡＰＩを介して受信して、ＭＥＣの要求したネットワークケイパビリティサービスがＮＥＦの提供するサービスであると判断したもののＮＥＦが当該サービスを起動していない場合、ＮＥＦのネットワークケイパビリティを取得することはできない。
【実施例８】
【００４０】
図９はＭＥＣプラットフォームにＲＡＮ側ネットワークケイパビリティを開放するフローチャートである。図９に示すように、ＭＥＣプラットフォームにＲＡＮ側ネットワークケイパビリティを開放するフローは、ｅＮＥＦがＭＥＣからのネットワークケイパビリティＡＰＩ操作（すなわちサービスＡＰＩ操作要求）を受信するステップと、ｅＮＥＦがネットワークケイパビリティＡＰＩ操作のメッセージ名またはＵＲＩパスから、当該要求操作はｅＮＥＦのＲＡＮサービスに属すると判断するステップと、ｅＮＥＦがＡＰＩ操作結果を直接ＭＥＣに返すステップとを含む。
【００４１】
本実施例において、ｅＮＥＦはＭＥＣからの操作要求をＭＥＣとのサービスＡＰＩを介して受信し、ＭＥＣの要求したネットワークケイパビリティサービスがＲＡＮ側の提供するサービスであると判断した場合、ＲＡＮ側のネットワークケイパビリティをＭＥＣに提供する。
【００４２】
実施例３から実施例８は、ＲＡＮ側に追加されたｅＮＥＦを用いてＲＡＮとコアネットワークのＮＥＦという２つのネットワーク機能と直接情報をやり取りし、不要な遅延及び帯域幅を減らしながら、ネットワークケイパビリティをＲＡＮに配置されたＭＥＣプラットフォームに開放し、５Ｇネットワークに適用できる。
【実施例９】
【００４３】
図１０は本願の実施例が提供する、エッジネットワークケイパビリティ開放を実現する装置のブロック図である。図１０に示すように、前記装置は無線アクセスネットワークおよびコアネットワークと情報を直接やり取りするためのものであり、前記装置は、受信モジュール１０と、判断モジュール２０と、処理モジュール３０とを備える。
【００４４】
受信モジュール１０は、モバイルエッジコンピューティングプラットフォームが発したネットワークケイパビリティサービス要求を受信するように配置され、判断モジュール２０は、前記ネットワークケイパビリティサービス要求に基づき、前記モバイルエッジコンピューティングプラットフォームが要求したネットワークケイパビリティサービスの提供元を確定するように配置され、処理モジュール３０は、前記ネットワークケイパビリティサービスの提供元がコアネットワークであると確定すると、前記コアネットワークのネットワークケイパビリティサービスを前記モバイルエッジコンピューティングプラットフォームに提供するように配置される。
【００４５】
一実施形態として、前記装置はＲＡＮ側に設けてよく、エッジネットワークケイパビリティを開放する方法のステップを実現することで、ＲＡＮに配置されたＭＥＣプラットフォームにネットワークケイパビリティを開放する。
【実施例１０】
【００４６】
図１１は本願の実施例が提供する、エッジネットワークケイパビリティ開放を実現する機器の概略図である。図１１に示すように、本願の実施例が提供するエッジネットワークケイパビリティ開放を実現する機器１１０は、無線アクセスネットワークおよびコアネットワークと情報を直接やり取りするためのものであり、前記機器１１０は、プロセッサ１１０２と、前記プロセッサ１１０２に結合されたメモリ１１０１とを備え、前記メモリ１１０１には、前記プロセッサ１１０２で実行可能な、エッジネットワークケイパビリティ開放を実現するプログラムが記憶され、エッジネットワークケイパビリティ開放を実現する前記プログラムが前記プロセッサ１１０２により実行される時に、エッジネットワークケイパビリティ開放を実現する方法の上記のステップを実行する。
【００４７】
一実施例形態として、前記機器１１０はＲＡＮ側に設けてよく、エッジネットワークケイパビリティを開放する方法のステップを実現することで、ＲＡＮに配置されたＭＥＣプラットフォームにネットワークケイパビリティを開放する。
【００４８】
上記のように、本願の実施例ではＲＡＮ側にｅＮＥＦを追加することによって、５Ｇネットワークが、ＲＡＮに配置されたＭＥＣプラットフォームにネットワークケイパビリティを開放できるようにする。本願の実施例は、無線アクセスネットワークとコアネットワークの２つのネットワーク機能と情報をやり取りすることにより、不要な遅延及び帯域幅を減らしながら、ネットワークケイパビリティをＭＥＣプラットフォームに開放し、５Ｇネットワークに適用できる。
【００４９】
当業者であれば、上記で開示した方法のすべてまたは一部のステップ、システム、装置の機能ブロック／ユニットは、ソフトウェア、ファームウェア、ハードウェア、およびそれらの適切な組み合わせで実施され得ると理解できるであろう。ハードウェアの実施形態では、上記の説明において言及した機能モジュール／ユニット間の区分は、必ずしも物理的コンポーネントの区分に対応せず、例えば、１つの物理的コンポーネントが複数の機能を有してもよく、あるいは、１つの機能またはステップが複数の物理的コンポーネントによって協力して実行されてもよい。一部の構成要素またはすべての構成要素は、プロセッサ、例えば、デジタル信号プロセッサまたはマイクロプロセッサで実行されるソフトウェアとして実施されてよく、あるいはハードウェアとして実施されてよく、あるいは専用の集積回路のような集積回路として実施されてもよい。このようなソフトウェアは、コンピュータ記憶媒体（または非一時的媒体）および通信媒体（または一時的媒体）を含み得るコンピュータ可読媒体上に分散してよい。当業者に周知のように、記憶媒体という用語は、情報（コンピュータ可読命令、データ構造、プログラムモジュール、またはその他のデータなど）を記憶するための任意の方法または技術において実施される、揮発性および不揮発性、取り外し可能および取り外し不可能な媒体を含む。記憶媒体は、ＲＡＭ、ＲＯＭ、ＥＥＰＲＯＭ、フラッシュメモリ、またはその他のメモリ技術、ＣＤ−ＲＯＭ、デジタル多用途ディスク（ＤＶＤ）またはその他の光ディスクストレージ、磁気カセット、磁気テープ、磁気ディスクストレージまたはその他の磁気ストレージデバイス、または所望の情報を記憶するために使用され得、コンピュータによってアクセスされ得る任意のその他の媒体を含むが、これらに限定されない。さらに、通信媒体は、コンピュータ可読命令、データ構造、プログラムモジュール、または搬送波またはその他の搬送機構などの変調されたデータ信号におけるその他のデータを概して含み、任意の情報配信媒体を含み得ることが当業者に知られている。
【００５０】
以上、本願について詳しく説明したが、本願はこれに限定されるものではなく、本願の原理を逸脱しない範囲で種々の変更が可能である。したがって、本願の原理に従った修正は、すべて、本願の保護範囲内に含まれるものと理解されるべきである。
【図１】
2021502780.tif 000003
【図２】
2021502780.tif 000004
【図３】
2021502780.tif 000005
【図４】
2021502780.tif 000006
【図５】
2021502780.tif 000007
【図６】
2021502780.tif 000008
【図７】
2021502780.tif 000009
【図８】
2021502780.tif 000010
【図９】
2021502780.tif 000011
【図１０】
2021502780.tif 000012
【図１１】
2021502780.tif 000013
【国際調査報告】
2021502780.tif 000014
2021502780.tif 000015
2021502780.tif 000016
2021502780.tif 000017